(57)【要約】【課題】  ゴムマットの使用時に不要となったカーペットマットをゴムマットの下側に収納してコンパクトに格納できるとともに、カーペットマットの使用・不使用に関わらずゴムマットの表面を常に上側に配置して水や泥の落下を防止できる車両用フロアマットの提供を図る。【解決手段】  ゴムマット３の表面３ａの周縁部に、その表面３ａに重ねたカーペットマット２の外周を囲繞するとともに、ゴムマット３の下側へのひっくり返しを可能に変形する側壁４を設ける。そして、ゴムマット３の使用時にカーペットマット２をゴムマット３の裏面３ｂに配置し、下側にひっくり返した側壁４内のスペースＳに収納する。従って、カーペットマット２をコンパクトに収納でき、かつ、ゴムマット３の表面３ａが常に上側に配置されるので、その表面３ａに溜まった水や付着した泥がフロアカーペットに落下するのを防止できる。【選択図】      図５
2007055533.tif 000002
【特許請求の範囲】
【請求項１】
ゴムマットとカーペットマットとを備え、ゴムマットの表面の周縁部に、その表面に重ねたカーペットマットの外周を囲繞するとともに、ゴムマットの下側へのひっくり返しが可能な側壁を設け、ゴムマットの使用時に、不要となったカーペットマットをゴムマットの裏面に配置して、下側にひっくり返した前記側壁内のスペースに収納可能としたことを特徴とする車両用フロアマット。
【請求項２】
側壁がゴムマットの表面から起立した状態で、その側壁の上端部に外方に突出する庇部を設けたことを特徴とする請求項１に記載の車両用フロアマット。
【請求項３】
ゴムマットの表面に水溜用の凹部を設けたことを特徴とする請求項１または２に記載の車両用フロアマット。
【請求項４】
カーペットマットの裏面に、前記ゴムマットの表面に設けた水溜用の凹部に嵌る凸部を設けて、カーペットマットの使用状態でそれら凹部と凸部とを互いに嵌合するようにしたことを特徴とする請求項３に記載の車両用フロアマット。
【請求項５】
側壁の付け根部分に、側壁のひっくり返しを容易にする易屈曲部を設けたことを特徴とする請求項１〜４のいずれか１つに記載の車両用フロアマット。
【請求項６】
易屈曲部を、側壁の付け根部分の内側角部または外側角部に溝を設けて構成したことを特徴とする請求項５に記載の車両用フロアマット。
【請求項７】
易屈曲部を、側壁の付け根部分に中空部を設けて構成したことを特徴とする請求項５に記載の車両用フロアマット。
【請求項８】
カーペットマットの使用時は、該カーペットマットをゴムマットの表面に重ねて該ゴムマットの周縁部に設けた側壁で囲繞するとともに、ゴムマットの使用時は、カーペットマットをゴムマットの裏面に配置して、ひっくり返した前記側壁内のスペースに収納することを特徴とする車両用フロアマットの選択使用方法。
【発明の詳細な説明】
【技術分野】
【０００１】
本発明は、カーペットマットとゴムマットとを選択的に使い分けるようにした車両用フロアマットおよびその選択使用方法に関する。
【背景技術】
【０００２】
カーペットマットとゴムマットとを選択的に使い分けることができる従来の車両用フロアマットとしては、ゴムマットの表面にカーペットマットを分離可能に重ねて二重構造とし、カーペットマットの使用時には、ゴムマットの表面に重ねた状態でカーペットマットを使用する一方、ゴムマットの使用時には、そのゴムマットを裏返して裏面を上側に配置して使用するようにしたものが知られている（例えば、特許文献１参照）。
【特許文献１】実用新案登録第３０３９６２５号公報（第７頁、第５図）
【発明の開示】
【発明が解決しようとする課題】
【０００３】
しかしながら、かかる従来の車両用フロアマットは、ゴムマットの使用時にはそれを裏返して裏面を上側にするため、カーペットマットの使用時にゴムマットの表面が下側となるため、その表面に溜まったり付着した水や泥がゴムマットの使用時にフロアカーペットに落下してしまう。
【０００４】
また、ゴムマットの使用時にカーペットマットを取り外した場合は、そのカーペットマットの保管場所が必要になってしまう。
【０００５】
そこで、本発明はゴムマットの使用時に不要となったカーペットマットをゴムマットの下側に収納してコンパクトに格納できるとともに、カーペットマットの使用・不使用に関わらずゴムマットの表面を常に上側に配置して水や泥の落下を防止できる車両用フロアマットおよびその選択使用方法を提供するものである。
【課題を解決するための手段】
【０００６】
本発明の車両用フロアマットは、ゴムマットとカーペットマットとを備え、ゴムマットの表面の周縁部に、その表面に重ねたカーペットマットの外周を囲繞するとともに、ゴムマットの下側へのひっくり返しが可能な側壁を設け、ゴムマットの使用時に、不要となったカーペットマットをゴムマットの裏面に配置して、下側にひっくり返した前記側壁内のスペースに収納可能としたことを最も主要な特徴とする。
【発明の効果】
【０００７】
本発明によれば、カーペットマットの使用時は、該カーペットマットをゴムマットの表面に重ねて、そのゴムマットの周縁部に設けた側壁で囲繞することにより、カーペットマットのずれを防止できる。
【０００８】
一方、ゴムマットの使用時は、ゴムマットの側壁を下側にひっくり返すとともに、カーペットマットをゴムマットの裏面に配置して、ひっくり返した前記側壁内のスペースに収納することにより、カーペットマットを余分な保管場所を必要とすることなくコンパクトに収納できるとともに、ゴムマットの表面を常に上側に配置した状態で使用できるため、その表面に溜まった水や付着した泥がゴムマットの使用時にフロアカーペットに落下するのを防止できる。
【発明を実施するための最良の形態】
【０００９】
以下、本発明の実施形態を図面と共に詳述する。
【００１０】
図１〜図７は本発明にかかる車両用フロアマットおよびその選択使用方法の一実施形態を示し、図１はカーペットマットの使用状態を示すフロアマットの斜視図、図２はカーペットマットとゴムマットとを分離した状態を示す斜視図である。
【００１１】
また、図３はゴムマットの側壁をひっくり返す手順を（ａ）〜（ｃ）に順を追って示す斜視図、図４はゴムマットの使用状態でカーペットマットを分離した状態を示す斜視図、図５はカーペットマットの使用状態からゴムマットの使用状態に変更する手順を（ａ）〜（ｄ）に順を追って示す要部を拡大した断面図であり、図６はカーペットマットの裏面を示す斜視図、図７は易屈曲部の異なる構成例を（ａ），（ｂ）に示す拡大断面図である。
【００１２】
本実施形態の車両用フロアマット１は、図１，図２に示すようにカーペットマット２とゴムマット３とを備え、天候や環境に応じてカーペットマット２とゴムマット３とを使い分けるようになっている。例えば、通常の使用状態ではカーペットマット２を用い、雨天時等の足下が濡れる場合等はゴムマット３を用いることができるようになっている。
【００１３】
カーペットマット２は、カーペットや絨毯等の生地を用いて形成されて足下の高級感を醸し出すとともに、ゴムマット３は天然ゴムや合成ゴム等の水不透過性の弾性部材で形成される。
【００１４】
カーペットマット２およびゴムマット３は、図２に示すように乗員足下のフロア形状に沿って形成され、ゴムマット３の表面３ａの周縁部に、その表面３ａに重ねたカーペットマット２の外周を囲繞するとともに、ゴムマット３の下側へのひっくり返しを可能に変形する側壁４を設けて、ゴムマット３の使用時に、不要となったカーペットマット２をゴムマット３の裏面３ｂに配置して、下側にひっくり返した前記側壁４内のスペースＳ（図５（ｃ）参照）に収納するようになっている。
【００１５】
また、本実施形態の車両用フロアマット１の選択使用方法は、カーペットマット２の使用時は、そのカーペットマット２をゴムマット３の表面３ａに重ねてそのゴムマット３の周縁部に設けた側壁４で囲繞するとともに、ゴムマット３の使用時は、カーペットマット２をゴムマット３の裏面３ｂに配置して、ひっくり返した前記側壁４内のスペースＳに収納するようになっている。
【００１６】
即ち、前記ゴムマット３は、側壁４をゴムマット３の下側にひっくり返すことができるようになっており、その側壁４のひっくり返しは、まず、図３（ａ）の側壁４がゴムマット３の表面３ａから起立した通常状態から図３（ｂ）に示すように側壁４の一部をひっくり返し、そのひっくり返し部分を図３（ｃ）に示すように側壁４の全周に亘らせるようになっている。
【００１７】
そして、ゴムマット３の使用時には、図４に示すように側壁４をひっくり返したゴムマット３の下側に使用しない前記カーペットマット２を配置して、ゴムマット３の下側に側壁４をひっくり返して形成されるスペースＳ（図５（ｃ）参照）内にカーペットマット２を収納するようにしてある。
【００１８】
つまり、前記カーペットマット２の使用状態からゴムマット３の使用状態に移行する一連の動作を図５にまとめて説明すると、同図（ａ）はカーペットマット２の使用状態で、ゴムマット３の表面３ａにカーペットマット２を重ねて載置するとともに、側壁４によってカーペットマット２の外周を囲繞してそのずれを防止してあり、この状態から同図（ｂ）に示すようにゴムマット３からカーペットマット２を取り出す。
【００１９】
そして、同図（ｃ）に示すようにゴムマット３の側壁４を下側にひっくり返して、その側壁４の内方に形成されるスペースＳ内に、同図（ｄ）に示すように前記カーペットマット２を収納する。このとき、カーペットマット２は通常の使用面となる表面２ａを上側に配置した状態としておくことが望ましい。
【００２０】
また、本実施形態では図２，図５（ａ）に示すように前記側壁４がゴムマット３の表面３ａから起立した状態で、その側壁４の上端部に外方に突出する庇部５を設けてある。
【００２１】
従って、このように庇部５を設けることにより、図５（ｃ）に示すように側壁４を下側にひっくり返した際には、その庇部５がスペースＳの内方に配置されることになる。
【００２２】
更に、本実施形態では図２，図５に示すように前記ゴムマット３の表面３ａに水溜用の凹部６を設けてある。凹部６は図２に示すように個々に菱形状に形成してゴムマット３の表面３ａの全面に亘って多数配置してある。
【００２３】
更にまた、図６に示すように前記カーペットマット２の裏面２ｂに、前記ゴムマット３の表面３ａに設けた水溜用の凹部６に合致する多数の凸部７を設けて、図５（ａ）に示すようにカーペットマット２の使用状態で凹部６と凸部７とを互いに嵌合してある。
【００２４】
また、本実施形態では図５（ａ），（ｂ）に示すように、側壁４の付け根部分４ａに、側壁４のひっくり返しを容易にする易屈曲部８を設けてある。
【００２５】
この易屈曲部８としては、図７（ａ）に示すように側壁４の付け根部分４ａの内側角部に溝８ａを設けたり、同図（ｂ）に示すように前記付け根部分４ａの外側角部に溝８ａを設けて構成することもできる。
【００２６】
また、このように前記付け根部分４ａの角部に溝８ａを設けて易屈曲部８とする他に、図８に示すように前記付け根部分４ａに中空部８ｂを設けて易屈曲部８とすることもできる。
【００２７】
以上の構成により本実施形態によれば、カーペットマット２の使用時は、そのカーペットマット２をゴムマット３の表面３ａに重ねて、そのゴムマット３の周縁部に設けた側壁４で囲繞することにより、カーペットマット２のずれを防止できる。
【００２８】
一方、ゴムマット３の使用時は、ゴムマット３の側壁４を下側にひっくり返すとともに、カーペットマット２をゴムマット３の裏面３ｂに配置して、ひっくり返した前記側壁４内のスペースＳに収納することにより、不要となったカーペットマット２を余分な保管場所を必要とすることなくコンパクトに収納できる。
【００２９】
また、ゴムマット４は、カーペットマット２の使用時およびゴムマット３の使用時のいずれにあっても、そのゴムマット３の表面３ａを常に上側に配置した状態で使用できるため、その表面３ａの凹部６に溜まった水や表面３ａに付着した泥がゴムマット３の使用時にフロアカーペットに落下するのを防止できる。
【００３０】
更に、本実施形態では前記作用効果に加えて、前記側壁４の上端部には外方に突出する庇部５を設けたので、ゴムマット３の使用時に側壁４を下側にひっくり返した時に前記庇部５がスペースＳの内方に配置されるため、その庇部５でゴムマット３の裏面３ｂに配置したカーペットマット２の周縁部下側を保持して、スペースＳに収納したカーペットマット２の保持性を向上することができる。
【００３１】
また、前記ゴムマット３の表面３ａに水溜用の凹部６を設けたので、ゴムマット３に水が垂れた場合にも凹部６によってその水を確実に捉えることができるため、ゴムマット３に垂れた水をフロアカーペットにこぼれにくくすることができる。
【００３２】
更に、前記カーペットマット２の裏面２ｂに、前記ゴムマット３の表面３ａに設けた水溜用の凹部６に合致する凸部７を設けて、カーペットマット２の使用状態で凹部６と凸部７とを互いに嵌合したので、カーペットマット２とゴムマット３との一体性を高めてカーペットマット２のずれをより確実に防止できる。
【００３３】
更にまた、側壁４の付け根部分４ａに易屈曲部８を設けたので、側壁４のひっくり返しを容易にし、ひいては、カーペットマット２をゴムマット３の裏面３ｂに格納する作業を容易にすることができる。
【００３４】
このとき、易屈曲部８としては、図７（ａ），（ｂ）に示すように側壁４の付け根部分４ａの内側角部または外側角部に溝８ａを設けることにより容易に構成することができる。
【００３５】
また、この他、図７（ｃ）に示すように側壁４の付け根部分４ａに中空部８ｂを設けて易屈曲部８を構成することにより、外観を向上することができる。
【００３６】
なお、付け根部４ａの角部の材質を軟質性で形成して易屈曲部８とすることもできる。
【００３７】
ところで、本発明は前記実施形態に例をとって説明したが、この実施形態に限ることなく本発明の要旨を逸脱しない範囲で他の実施形態を各種採用することができる。
【図面の簡単な説明】
【００３８】
【図１】本発明の一実施形態におけるカーペットマットの使用状態を示すフロアマットの斜視図。
【図２】本発明の一実施形態におけるカーペットマットとゴムマットとを分離した状態を示す斜視図。
【図３】本発明の一実施形態におけるゴムマットの側壁をひっくり返す手順を（ａ）〜（ｃ）に順を追って示す斜視図。
【図４】本発明の一実施形態におけるゴムマットの使用状態でカーペットマットを分離した状態を示す斜視図。
【図５】本発明の一実施形態におけるカーペットマットの使用状態からゴムマットの使用状態に変更する手順を（ａ）〜（ｃ）に順を追って示す要部を拡大した断面図。
【図６】本発明の一実施形態におけるカーペットマットの裏面を示す斜視図。
【図７】本発明の一実施形態における易屈曲部の異なる構成例を（ａ），（ｂ），（ｃ）に示す拡大断面図。
【符号の説明】
【００３９】
１  車両用フロアマット
２  カーペットマット
２ａ  カーペットマットの表面
２ｂ  カーペットマットの裏面
３  ゴムマット
３ａ  ゴムマットの表面
３ｂ  ゴムマットの裏面
４  側壁
５  庇部
６  凹部
７  凸部
８  易屈曲部
８ａ  溝
８ｂ  中空部
Ｓ  スペース
【図１】
2007055533.tif 000003
【図２】
2007055533.tif 000004
【図３】
2007055533.tif 000005
【図４】
2007055533.tif 000006
【図５】
2007055533.tif 000007
【図６】
2007055533.tif 000008
【図７】
2007055533.tif 000009